(57)【特許請求の範囲】
【請求項１】
天板の両端部に、天板下面に略平行に折り畳んだ折畳位置と天板下面に対し所要角度開脚した開脚位置との間で開閉可能な脚体を回転連結金具を介して取り付け、この回転連結金具を、天板側に固定した固定側連結板と脚体側に固定した可動側連結板とを枢支軸により回動可能に連結して構成すると共に、ロックピンによって脚体を折畳位置及び開脚位置に夫々固定するようにした作業台において、前記ロックピンを、各脚体の上端部側壁の中空状主枠部の天板に隣接する内側壁部の外面に配設すると共に、該内側壁部の外面の上端部に、脚体の開脚位置で天板の左右端面の上部に当接する当接用枠部を形成してなることを特徴とする作業台。
【発明の詳細な説明】
【０００１】
【発明の属する技術分野】
本発明は、作業台に関するもので、特に、天板の両端部に、天板下面に略平行に折り畳んだ折畳位置と天板下面に対し所要角度開脚した開脚位置との間で開閉可能な脚体を回転連結金具を介して取り付けてなる作業台に関する。
【０００２】
【従来の技術】
この種の作業台としては、例えば実用新案登録第２５９５９７８号公報に記載されている。この作業台では、回転連結金具を、天板側に固定した固定側連結板と脚体側に固定した可動側連結板とを枢支軸により回動可能に連結して構成すると共に、枢支軸を中心とする可動側連結板の所要回転位置で両連結板を貫通するロックピンによって脚体を折畳位置と所要の開脚位置に夫々固定するようにしている。
【０００３】
【発明が解決しようとする課題】
上記従来の作業台にあっては、脚体を折畳位置と開脚位置に固定するためのロックピンが天板の両端部側壁の夫々内側に取り付けられていることから、次のような問題点があった。
▲１▼．天板の両端部側壁のロックピン取付部分に土砂等の異物が混入した場合、ロックピンの操作に支障を来すため、異物を除去し排出する必要があるが、その異物の排出が困難で、その排出作業に手間がかかる。
▲２▼．ロックピンの操作位置が確認し難い。
▲３▼．ロックピンの動作及び破損の状況が確認し難い。
▲４▼．ロックピンが破損した時に交換及び修理にし難い。
【０００４】
本発明は、上記の問題点に鑑み、ロックピン取付部分に土砂等の異物が混入した場合にその異物の外部排出が容易であると共に、ロックピンの操作位置の確認及びロックピンの動作及び破損状況の確認が容易となり、更にロックピン破損時の交換及び修理が容易となる作業台を提供することを目的とする。
【０００５】
【課題を解決するための手段】
請求項１に係る発明は、天板１の両端部に、天板１下面に略平行に折り畳んだ折畳位置と天板１下面に対し所要角度開脚した開脚位置との間で開閉可能な脚体２を回転連結金具３を介して取り付け、この回転連結金具３を、天板１側に固定した固定側連結板１１と脚体２側に固定した可動側連結板１２とを枢支軸１０により回動可能に連結して構成すると共に、ロックピン１３によって脚体２を折畳位置及び開脚位置に夫々固定するようにした作業台において、前記ロックピン１３を、各脚体２の上端部側壁５の中空状主枠部５ａの天板１に隣接する内側壁部５ａｏの外面Ｇに配設すると共に、該内側壁部５ａｏの外面Ｇの上端部に、脚体２の開脚位置で天板１の左右端面の上部に当接する当接用枠部５ｃを形成してなることを特徴とする。
【０００８】
【発明の実施の形態】
図１の（Ａ）は本発明に係る作業台の正面図、（Ｂ）は側面図である。この作業台は、天板１の左右両端部に、天板１下面に略平行に折り畳んだ折畳位置と天板１下面に対し所要角度開脚した開脚位置との間で開閉可能な脚体２，２を回転連結金具３を介して取り付けてなるものである。図２は図１の（Ａ）における矢印Ｘで示す部分の拡大図で、脚体２が開脚位置にある状態を示し、図３は同様な拡大図で、脚体２が折り畳まれて折畳位置にある状態を示す。
【０００９】
天板１は、詳細な図示は省略するが、天板１の長手方向に沿う複数の型材４を天板１の幅方向に並列させて組み合わせ接合することによって形成される。この天板１としては、足場板を使用することもできる。各脚体２は、一対の側枠６，６と、両側枠６，６間に横架された複数の踏杆７…と、両側枠６，６の上端部間に連架された端部枠５（上端部側壁）とからなるもので、各側枠６の下部には伸縮脚８が出退自在に設けられ、この伸縮脚８はロック手段によって所要位置で固定できるようになっている。このロック手段の操作部を図１の（Ｂ）に９で示す。回転連結金具３は、天板１側に固定した固定側連結板１１と脚体２側に固定した可動側連結板１２とを枢支軸１０により回動可能に連結して構成すると共に、ロックピン１３によって脚体２を折畳位置及び開脚位置に夫々固定するようにしたものである。
【００１０】
上記回転連結金具３について詳細に説明すると、図２に示すように、脚体２側に固定される可動側連結板１２の外側に、天板１側に固定される固定側連結板１１を一部重合させた状態で、これら可動側連結板１２と固定側連結板１１とを枢支軸１０によって回動可能に連結する。固定側連結板１１は、天板１の左右端部の前後各側面部にブラインドリベットｂによって取り付けられるもので、天板１側に取り付けられる取付部１１ａと、この取付部１１ａから斜め下方に突出形成された略扇形の連結部１１ｂとからなり、取付部１１ａの先端縁部は、Ｌ字状に折り曲げられて当たり面１４を形成している。
【００１１】
可動側連結板１２は、脚体２を形成する両側枠６，６の上端部間に連架された端部枠５（上端部側壁）の前後各端面と側枠６の上端部外側面とに亘ってビスａ及びブラインドリベットｂによって取り付けられるもので、端部枠側取付部１２ａと側枠側取付部１２ｂとからなり、端部枠側取付部１２ａの先端縁部に当たり面１５が形成されると共に、枢支軸１０が貫通する略山形状の枢支用突部１２ｃが天板１側へ対向するように突出形成され、この山形状の枢支用突部１２ｃと固定側連結板１１の扇形連結部１１ｂの要部分とに亘って枢支軸１０が貫通されている。この枢支軸１０はボルトからなる。
【００１２】
可動側連結板１２の端部枠側取付部１２ａには、枢支軸１０から斜め下方に適当距離をおいた位置にピン穴１６が形成されている。このピン穴１６から固定側連結板１１に向けて突出するように付勢された前記ロックピン１３が、脚体２の上端部に取り付けられた端部枠５の外側に配設され、そして固定側連結板１１の連結部１１ｂには、脚体２の開脚位置と折畳位置とで夫々可動側連結板１２側のピン穴１６と合致してロックピン１３が突入係合する係合穴１７，１８が設けられている。
【００１３】
図４は図３のＹ−Ｙ線に沿った縮小断面図であり、脚体２上端部の端部枠５の外側にロックピン１３が配設された状態を示している。図５は天板１の端部の拡大縦断面図である。この図５から分かるように、脚体２の上端部に装着される押し出し型材製の端部枠５（上端部側壁）は、外面上部側が湾曲状を成す断面略三角形の中空状主枠部５ａと、脚体２を形成する両側枠６，６の上端部に挿着される一対の取付板部５ｂ，５ｂと、脚体２の開脚位置で天板１の左右各端面の上端部に当接するように主枠部５ａの内側壁部５ａｏの外面Ｇの上端部に突設された中空角筒状の当接用枠部５ｃとからなる。
【００１４】
また図４及び図５から分かるように、ロックピン１３は、長手状のピン本体１３ａとこれより短い操作用把手部１３ｂとで略Ｌ字状に形成されたもので、脚体２を形成する両側枠６，６の上端部間に連架された端部枠５の主枠部５ａの内側壁部５ａ外面側に端部枠５長手方向中央部位を挟んでその両側対称位置に一対配設し（図４参照）、そして各ロックピン１３のピン本体１３ａを、主枠部５ａの内側壁部５ａ外面にブラインドリベットｂで取り付けたピン受け２０により回転自在で且つ軸方向移動自在に支持すると共に、ピン本体１３ａとピン受け２０との間に介装した圧縮コイルバネ２１によって、ピン本体１３ａをこれの先端部１３ｏが可動側連結板１２側のピン穴１６から外方へ突出するように付勢している。
【００１５】
このロックピン１３を可動側連結板１２のピン穴１６から固定側連結板１１の係合穴１７又は１８に突入係合させるにあたっては、両ロックピン１３，３の把手部１３ｂ，１３ｂを同時に掴んで図４の仮想線図示のように引き寄せて、ピン先端部１３ｏを固定側連結板１１のピン穴１７又は１８から可動側連結板１２のピン穴１６内に引っ込めた状態とし、この状態で可動側連結板１２側を回動して、可動側連結板１２のピン穴１６と固定側連結板１１の係合穴１７又は１８とを合致させた後、把手部１３ｂ，１３ｂの掴持力を解放すれば、圧縮コイルバネ２１の付勢力によって、各ロックピン１３の先端部１３ｏが可動側連結板１２のピン穴１６から固定側連結板１１の係合穴１７又は１８に突入係合し、脚体２を開脚位置又は折畳位置に固定することができる。
【００１６】
上述したような構成を有する作業台において、脚体２を天板１の下面に略平行に折り畳んだ折畳位置では、図３に示すように、可動側連結板１２のピン穴１６を貫通したロックピン１３が圧縮コイルバネ２１（図４参照）により突出付勢されて、固定側連結板１１の係合穴１８に突入係合し、この状態で脚体２がロックされているので、作業台の運搬時等に脚体２がふらつくようなことがなく、取扱いが容易となる。
【００１７】
作業台の使用時には、図４に示すように両ロックピン１３，３の把手部１３ｂ，１３ｂを同時に掴んで矢印ｈで示す方向に引き寄せて仮想線図示のような状態とすることにより、ロックピン１３が固定側連結板１１の係合穴１８から内方へ離脱してロックが解除され、脚体２を開くことができる。開脚状態になると、可動側連結板１２と固定側連結板１１との当たり面１４，１５が互いに当接すると共に、突出付勢されたロックピン１３の先端部１３ｏが図２に示すように固定側連結板１１の係合穴１７に突入係合し、その開脚位置にロックされる。
【００１８】
以上説明した本発明に係る作業台にあっては、脚体２を折畳位置及び開脚位置にロックするロックピン１３が、脚体２の上端部付近、特に脚体２を形成する両側枠６，６の上端部間に連架された端部枠５の主枠部５ａの外側に配設されているから、作業台の使用中に土砂等の異物がロックピン１３の配設箇所に混入してロックピン１３やその周辺に付着残存しても、掃除がし易く、簡単容易に除去できて外部へ排出することができる。また、ロックピン１３の操作位置が確認し易く、ロックピン１３の動作状態及び破損状態の確認が容易となり、しかもロックピン１３が破損した時の交換及び修理が容易となる。
【００１９】
特にこの作業台では、ロックピン１３は、脚体２の端部枠５（上端部側壁）の天板１に隣接する外面、即ち端部枠５の主枠部５ａの内側壁部５ａｏの外面Ｇに配設されているから、ロックピン配設箇所への土砂等異物の混入を最小限に抑えることができ、またロックピン１３及びその取付部材に対して外力が作用し難く、したがってそれらの破損を極力回避できる。また、作業者に障害を与えるような突起部分が露出し難く、作業の安全性を期することができる。
【００２０】
また、上記端部枠５には主枠部５ａの内側壁部５ａｏの外面Ｇの上端部に、脚体２の開脚位置で天板１の左右端面の上部に当接する中空角筒状の当接用枠部５ｃが形成されているから、作業台の使用時には、この当接用枠部５ｃによって、各脚体２上端部の端部枠５と天板１の端部との隙間が塞がれ、ロックピン配設箇所への土砂等異物の侵入が有効に阻止される。
【００２１】
【発明の効果】
請求項１に係る発明の作業台によれば、脚体を折畳位置及び開脚位置にロックするロックピンを、各脚体の上端部付近に配設したことによって、ロックピンの操作位置が容易に確認できると共に、ロックピンの操作が容易となる。
【００２２】
また、本発明の作業台によれば、ロックピンを各脚体の上端部側壁の外側に配設したことによって、作業台の使用中に土砂等の異物がロックピンの配設箇所に混入して、ロックピンやその周辺に付着残存しても、掃除がし易く、異物を簡単容易に除去できて外部へ排出できる。また、ロックピンの操作位置の確認ならびにロックピンの動作状態及び破損状態の確認が容易となり、またロックピン破損時のロックピンの交換及び修理が容易となる。
【００２３】
また、本発明の作業台によれば、ロックピンを各脚体の上端部側壁の天板に隣接する外面に配設したことによって、ロックピン配設箇所への土砂等異物の混入を最小限に抑えることができ、またロックピン及びその取付部材に対して外力が作用し難く、したがってそれらの破損を極力回避でき、更に作業者に障害を与えるような突起部分が露出し難く、作業の安全性を期することができる。
特に、本発明の作業台によれば、上記中空状主枠部の内側壁部の外面の上端部に、脚体の開脚位置で天板の左右端面の上部に当接する当接用枠部が形成されているから、作業台の使用時には、この当接用枠部によって、各脚体上端部の端部側壁と天板の端部との隙間が塞がれ、ロックピン配設箇所への土砂等異物の侵入が有効に阻止される。
【図面の簡単な説明】
【図１】（Ａ）は本発明の作業台の正面図、（Ｂ）は側面図である。
【図２】図１の（Ａ）における矢印Ｘで示す部分の拡大正面図で、脚体が開脚位置にある状態を示す。
【図３】脚体が折畳位置にある状態を示す図２と同様な正面図である。
【図４】図３のＹ−Ｙ線に沿った縮小断面図である。
【図５】天板の端部の拡大縦断面図である。
【符号の説明】
１              天板
２              脚体
３              回転連結金具
４              天板本体
５              端部枠（上端部側壁）
５ａ            主枠部
１０            枢支軸
１１            固定側連結板
１２            可動側連結板
１３            ロックピン
１６            可動側連結板のピン穴
１７，１８      固定側連結板の係合穴
【図１】
0003574391.tif 000002
【図２】
0003574391.tif 000003
【図３】
0003574391.tif 000004
【図４】
0003574391.tif 000005
【図５】
0003574391.tif 000006